(57)【要約】      （修正有）【課題】墓前での法要等の際に参道から合掌する参列者を日除け，雨除けすることのできる傘形状の日除け，雨除け部材を設置可能にした墓について、製造コストを安価にし、日除け，雨除け部材の支柱が挿通される取付穴への異物の堆積を防止した墓を提供する。【解決手段】墓石１の周囲を囲む外柵２または墓石１自体の一部に上面から底面に向けて直線状に取付溝４が空けられている。取付溝４は日除け，雨除けのための覆部５ａを１本の直線状の支柱５ｂの上部に取付けてある傘状の日除け，雨除け体５の該支柱５ｂを挿通させることで起立支持または起立補助することのできる充分な深さをもって外柵２または墓石１の外側面に開放されている墓。【選択図】図１
0003182550.tif 000002
【実用新案登録請求の範囲】
【請求項１】
墓石の周囲を囲む外柵または墓石自体の一部に上面から底面に向けて直線状に取付溝が空けられ、取付溝は日除け，雨除けのための覆部を１本の直線状の支柱の上部に取付けてある傘状の日除け，雨除け体の該支柱を挿通させることで起立支持または起立補助することのできる充分な深さをもって外柵または墓石の外側面に開放されている墓。  
【考案の詳細な説明】
【技術分野】
【０００１】
本考案は、墓前での法要等の際に参道から合掌する参列者が日除け，雨除けできる傘状の日除け，雨除け体を設置可能にする墓の技術分野に属する。
【背景技術】
【０００２】
墓前での法要等の際には、各参列者が各自に雨傘，日傘を持って日除け，雨除けしている。然しながら、参道で合掌する時には、両手が解放されていることが必要であることから、雨傘，日傘を折畳んで外柵の脇に立掛ける等しなければならない。即ち、参道から合掌する参列者は、自ら日除け，雨除けすることが不能になる。このため、他の参列者が合掌する者のために側方から雨傘，日傘をかざすことが行われている。
【０００３】
このような状況から、墓前での法要等の際に参道で合掌する参列者のために日除け，雨除けできる機能を備えた墓の開発が要望されている。
【０００４】
従来、墓前での法要等の際に参道から合掌する参列者を日除け，雨除けすることを指向した技術としては、例えば、特許文献１に記載のものが知られている。
【０００５】
特許文献１には、墓石の周囲を囲む外柵の一部に上面から底面に向けて直線状に取付穴が空けられ、取付穴は日除け，雨除けのための覆部が１本の直線状の支柱の上部に取付けられた傘状の日除け，雨除け体を支柱を挿通させて起立支持するのに充分な深さを有している墓が記載されている。
【０００６】
特許文献１に係る簡易テントは、外柵に日除け，雨除け体の支柱が挿通されて設置され、設置された日除け，雨除け体の覆部が墓前での法要等の際に参道から合掌する参列者を日除け，雨除けするものである。
【先行技術文献】
【特許文献】
【０００７】
【特許文献１】実用新案登録第３１７３０４９号公報
【考案の概要】
【考案が解決しようとする課題】
【０００８】
特許文献１に係る墓では、日除け，雨除け体の支柱が挿通される取付穴をドリル等で穿孔するに当たり石材の割裂を防止しながらしなければならないだけでなく、取付穴の下部に水抜孔を設けなければならいため、加工作業が容易でなく、それだけ製造コストも高くなるという問題点がある。また、取付穴に砂利，枯葉等の異物が浸入して堆積するおそれもあって、日除け，雨除け体の支柱を挿通すること自体が困難になるという問題点もある。さらに使用する石材の節約の観点から厚手を避けて薄手のものに変更する傾向があり、上記の加工作業はますます慎重を求められる問題点もあった。
【０００９】
本考案は、このような問題点を考慮してなされたもので、製造コストが安価で日除け，雨除け体の支柱が挿通される取付穴への異物の堆積を防止することのできる墓を提供することを課題とする。
【課題を解決するための手段】
【００１０】
前述の課題を解決するため、本考案に係る墓は、実用新案登録請求の範囲に記載のように、墓石の周囲を囲む外柵または墓石自体の一部に上面から底面に向けて直線状に取付溝が空けられ、取付溝は日除け，雨除けのための覆部を１本の直線状の支柱の上部に取付けてある傘状の日除け，雨除け体の該支柱を挿通させることで起立支持または起立補助することのできる充分な深さをもって外柵または墓石の外側面に開放されている墓。  
【００１１】
この手段では、日除け，雨除け体の支柱が挿通される取付溝が外柵，墓石の外側面に開放して構造されることで、水抜孔が不要で取付溝をカッタ等の表面切削工作で製造することができるとともに、取付溝に浸入した異物を雨水で自然に流出させることができる。
【考案の効果】
【００１２】
本考案に係る墓は、日除け，雨除け体の支柱が挿通される取付溝が外柵，墓石の外側面に開放して構造することで、水抜孔が不要で取付溝をカッタ等の表面切削工作で製造することができるとともに、たとえ取付溝に異物が侵入してもそれを雨水が自然に流出させることができ、あるいは流水が異物を流出できない場合でも人が板などで一刷きするだけで取り除くことができるため、取付溝を常に確保でき、製造コストが安価で日除け，雨除け体の支柱を挿通する取付穴（取付溝）への異物の堆積を防止することができる効果がある。
【図面の簡単な説明】
【００１３】
【図１】本考案に係る墓を実施するための形態の第１例の分解状態の斜視図である。
【図２】図１の要部の拡大図である。
【図３】図１における日除け，雨除け体の設置状態図である。
【図４】図３の要部の拡大横断面図である。
【図５】本考案に係る墓を実施するための形態の第２例の要部の断面図である。
【図６】本考案に係る墓を実施するための形態の第３例の斜視図である。
【考案を実施するための形態】
【００１４】
以下、本考案に係る墓を実施するための形態を図面に基づいて説明する。
【００１５】
図１〜図４は、本考案に係る墓を実施するための形態の第１例を示すものである。
【００１６】
第１例では、墓石１の周囲を近接して外柵２が囲み墓石１，外柵２の前方側に数人の参列者が同時に立つことのできる参道３が設けられた小規模，中規模からなるものが示されている。
【００１７】
第１例は、図１に示すように、外柵２の前方側の直方体形の親柱の側部に取付溝４が空けられた構成になっている。
【００１８】
取付溝４は、図２に詳細に示されるように、外柵２の中実状の親柱の上面２ａから底面２ｂに向けて直線状に彫み込まれ外側面２ｃに開放して空けられている。取付溝の深さＨは、図２に示すように、外柵２の親柱の底面２ｂ近くにまで到達するようになっていて、傘状の日除け，雨除け体５を起立させて支持するに充分なものとなっている。日除け，雨除け体５は、ビーチパラソルのように、日除け，雨除けのための覆部５ａが１本の直線状の支柱５ｂの上部に取付けられたものからなる。この日除け，雨除け体５は、支柱５ｂを取付溝４に挿通されることで起立支持される。
【００１９】
即ち、取付溝４は、図４に詳細に示されるように、外柵２の外側面２ｃに平行な奥面４ａの両端部から外柵２の外側面２ｃに向けて拡開する２つのテーパ面４ｂからなる台形に形成され、しかも日除け，雨除け体５の支柱５ｂの一部を収容する大きさに形成されている。従って、少しの間隙Ｓを介して隣接させる墓にも同様の取付溝４を構成することで、両墓の相対する取付溝４で日除け，雨除け体５の支柱５ｂを挟込むようにして起立を完全に支持することができる。
【００２０】
第１例によると、日除け，雨除け体５の支柱５ｂが挿通される取付溝４が外柵２の外側面２ｃに開放した構造にすることで、水抜孔が不要で取付溝４をカッタ等の表面切削工作で製造することができる。従って、石材の割裂を防止しながらドリル等で穿孔しなければならない特許文献１に係る墓に比して、はるかに製造コストが安価となる。
【００２１】
第１例を使用するには、図３に示すように、取付溝４に日除け，雨除け体５の支柱５ｂを挿入する。このとき開放構造の取付溝４の内部にたとえ土砂，枯葉等の異物が侵入しても翌日の雨水によって流出され内部に堆積されることがないため、日除け，雨除け体５の支柱５ｂの挿入が不能になるようなことはない。さらにたとえ雨水による流出が充分でなくとも間隙Sに人が板とか棒などを挿入して一刷きすれば簡単に異物を除去できるから問題ない。
【００２２】
取付溝４に日除け，雨除け体５の支柱５ｂを挿入すると、日除け，雨除け体５の支柱５ｂの上部の覆部５ａが墓石１，外柵２の一部と参道３の大部分とを覆うことになる。なお、日除け，雨除け体５の覆部５ａが折畳み可能な構成となっている場合には、取付溝４へ支柱５ｂを挿入する前または後のいずれかの時点で覆部５ａを展開させることになる。日除け，雨除け体５の覆部５ａが折畳み可能な構成とされると、不使用時の日除け，雨除け体５の収納が容易になる。
【００２３】
この結果、日除け，雨除け体５の覆部５ａによって、参道３で合掌する参列者を日除け，雨除けすることができる。
【００２４】
参道３で合掌する参列者を日除け，雨除けする日除け，雨除け体５は、支柱５ｂを外柵２の親柱に空けられた取付溝４に挿入することで設置される。従って、参列者の移動の邪魔にならず墓前での法要等を円滑に催行することができる。また、設置された日除け，雨除け体５の支柱５ｂが外柵２の親柱に空けられた取付溝４にかなりの深さで挿入されているため、多少の雨風でもぐらつくことなく設置時の姿勢で安定的に維持される。
【００２５】
さらに、第１例では、図１，図３に示すように、支柱６ａの上部をＬ字形に屈曲させた台板６ｂを取付けた焼香台６をもう一つの取付溝４に挿入して使用することも可能である。
【００２６】
図５は、本考案に係る墓を実施するための形態の第２例を示すものである。
【００２７】
第２例は、取付溝４について、外柵２の外側面２ｃに平行な奥面４ａの両端部から外柵２の外側面２ｃに向けて縮閉する２つのテーパ面４ｃからなる台形に形成され、しかも日除け，雨除け体５の支柱５ｂの大部分を収容する大きさに形成したものとしている。
【００２８】
第２例によると、少しの間隙Ｓを介して隣接させる墓に取付溝４が構成されていなくても、あるいは隣接する墓の無い独立の墓であっても、取付溝４単独で日除け，雨除け体５の支柱５ｂの起立を完全に支持することができる。
【００２９】
図６は、本考案に係る墓を実施するための形態の第３例を示すものである。
【００３０】
第３例は、第１例の取付溝４を墓石１自体に設けたものとしている。
【００３１】
第３例は、外柵２を有しない小規模の墓に適用することができる。
【００３２】
以上、図示した各例の外に、取付溝４を平面図台形以外の、例えば弧状とかC字形としたり、取付溝４を墓石１，外柵２の他の箇所に設けたりすることも可能である。
【符号の説明】
【００３３】
１            墓石
２            外柵
３            参道
４            取付溝
５            日除け，雨除け体
５ａ          覆部
５ｂ          支柱
【図１】
0003182550.tif 000003
【図２】
0003182550.tif 000004
【図３】
0003182550.tif 000005
【図４】
0003182550.tif 000006
【図５】
0003182550.tif 000007
【図６】
0003182550.tif 000008